(57)【要約】【課題】送風ファンにより起風される大容量の送風により冷却能力を高めつつ、送風へのダストの混入を低減することにより、送風量を確保し冷却能力を維持することができる携帯型送風作業機のエンジン冷却構造を提供する。【解決手段】空冷小型エンジンにより遠心式送風ファン２２を回転駆動するとともに、この遠心式送風ファン２２を覆う送風ファンカバー１７の内部から空冷小型エンジン側に冷却風を流入させる導風孔２７を送風ファンカバー内の旋回流路２６に面して形成し、この導風孔の旋回流路風上側直近に位置して凸部２８を設けた。【選択図】図２
2007218186.tif 000002
【特許請求の範囲】
【請求項１】
空冷小型エンジンにより遠心式送風ファンを回転駆動するとともに、この遠心式送風ファンを覆う送風ファンカバーの内部から空冷小型エンジン側に冷却風を流入させる導風孔を送風ファンカバー内の旋回流路に面して形成し、この導風孔の旋回流路風上側直近に位置して凸部を設けたことを特徴とする携帯型送風作業機のエンジン冷却構造。
【発明の詳細な説明】
【技術分野】
【０００１】
本発明は携帯型の送風作業機に関し、詳しくは携帯型送風作業機を回転駆動するエンジンの冷却構造に関する。
【背景技術】
【０００２】
小型エンジン等を駆動動力源とする携帯型の作業機が多種開発・市販されており、これらの携帯型作業機を駆動する小型エンジンは、軽量小型である等の理由から空冷式のものが主として採用されている。携帯型作業機用の小型空冷エンジンは、一般的にクランクシャフトの一方の端部に始動装置であるリコイルスタータが取り付けられるとともに、他端側にフライホイールマグネトが取り付けられ、さらにそのフライホイールマグネトの外側突出端から作業機駆動用の回転動力が取り出される。
【０００３】
一般的に小型空冷エンジンの冷却は、フライホイールマグネトと一体的に形成された冷却フィンによって動力取出側の開口部やクランクケース底部側の開口部から吸引された冷却風を、シリンダやシリンダヘッドの方向に流出させることにより行われている。
【０００４】
一方、いわゆるエンジンブロワと呼ばれる携帯型送風作業機にあっては、小型空冷エンジンにより送風ファンを回転駆動させて落ち葉や刈り草を吹き寄せたり、吸引作用を利用して落ち葉を捕集バッグ内に回収する等の作業に使用されている。
【０００５】
携帯型送風作業機においては、フライホイールマグネトの冷却フィンよりも大径の送風ファンの回転を利用して、エンジンのシリンダヘッド方向に冷却風を送風するように構成した技術（特許文献１参照）や、逆に送風ファンによりシリンダヘッド側から吸引するように構成した技術（特許文献２参照）が開示されている。このように大径の送風ファンを利用することによって送風量（吸引風量）を増大させてエンジンの冷却能力を高めることが可能となるため、大排気量（高出力）エンジンの採用や排気ガス規制対策による高発熱への対応が容易となる。
【特許文献１】特開平９−２０９７５３公報
【特許文献２】特開２００１−１４０８００号公報
【発明の開示】
【発明が解決しようとする課題】
【０００６】
しかしながら、携帯型送風作業機の大径送風ファンによる冷却風を利用することによって高い冷却能力を得ることができる反面、吸引作業においては落ち葉くずや細かな草等のダストを大量に吸い込むことになり、これらのダストがエンジンシリンダの冷却フィン隙間やマフラ部分に詰まることによって、冷却能力の大幅低下や発火等が生じるという問題点がある。
【０００７】
本発明は、前記問題点を解決するためになされたものであって、送風ファンにより起風される大容量の送風により冷却能力を高めつつ、この送風へのダストの混入を低減することにより送風量を確保し冷却能力を維持することができる携帯型送風作業機のエンジン冷却構造を提供することを目的とする。
【課題を解決するための手段】
【０００８】
前記課題を解決するため、空冷小型エンジンにより遠心式送風ファンを回転駆動するとともに、この遠心式送風ファンを覆う送風ファンカバーの内部から空冷小型エンジン側に冷却風を流入させる導風孔を送風ファンカバー内の旋回流路に面して形成し、この導風孔の旋回流路風上側直近に位置して凸部を設けた。
【発明の効果】
【０００９】
本発明によれば、空冷小型エンジンにより回転駆動される遠心式送風ファンの送風もしくは吸引風を利用して各種の作業を行う携帯型送風作業機において、遠心式送風ファンを覆う送風ファンカバーの内部と空冷小型エンジン側とを導風孔にて連通せしめて、遠心式送風ファンにより起風される強力な風をエンジン冷却風として利用しつつ、シリンダヘッドに対する冷却能力の低下やマフラ部での発火を引き起こすようなダストの進入を、比較的簡易な機構にて確実に達成することができる。
【発明を実施するための最良の形態】
【００１０】
本発明の実施の形態を図１ないし図３に基づいて説明する。携帯型送風作業機１は送風機本体２と駆動源となる空冷小型エンジン３とから構成される。空冷小型エンジン３のシリンダヘッド４には冷却フィン５が一体的に形成されており、さらにこのシリンダヘッド４内部にはピストン６が摺動自在に嵌装されるとともに、点火プラグ（図示せず）が取付けられている。シリンダヘッド４と連結一体化されたクランクケース７には、クランクシャフト８が軸支され、このクランクシャフト８とピストン６のピストンピン（図示せず）とがコネクティングロッド９により連結されている。
【００１１】
クランクシャフト８の一端には、手動始動装置であるリコイルッスタータ１０が取り付けられ、他端側にはフライホイールマグネト１１が固定されている。クランクケース７の底部側には燃料タンク１２が取り付けられているとともに、フライホイールマグネト１１と一体成形された冷却フィン１３と対向するクランクケース７の底部分の一部を切り欠いて、冷却風導入孔１４が形成されている。
【００１２】
空冷小型エンジン３と一体に構成される送風機本体２は、二つ割部品としての内側ファンカバー１５と外側ファンカバー１６とからなる送風ファンカバー１７と、作業者によって把持されるハンドル部１８とから構成される。送風ファンカバー１７には、外周に沿って吹き出し口１９が形成されているとともに、吸い込み口２０を有し外側ファンカバー１６の外側面に対して開閉及び固定自在な側面カバー２１が設けられている。
【００１３】
送風ファンカバー１７内に配置された遠心式送風ファン２２は、複数枚の起風フィン２３が放射状に一体形成されてなり、前記フライホイールマグネト１１の外側に位置して前記クランクシャフト８外端部に固定されている。遠心式送風ファン２２とフライホイールマグネト１１との間に位置する前記内側ファンカバー１５はシリンダヘッド４とクランクケース７とに取付ボルト２４によって固定され、さらに内側ファンカバー１５に連接してシリンダヘッド４を覆うヘッドカバー２５が設けられている。
【００１４】
前記送風ファンカバー１７の内部には、遠心式送風ファン２２により起風される空気の旋回流路２６が形成され、この旋回流路２６が吹き出し口１９に連接している。内側ファンカバー１５には、シリンダヘッド４と向かい合う位置に旋回流路２６と空冷小型エンジン３側とを連通する導風孔２７が開孔されている。そして、この導風孔２７の旋回流路２６風上側直近に位置して凸部２８が内側ファンカバー１５に形成されている。この凸部２８の位置は、遠心式送風ファン２２外周よりわずかに外側とし、かつ遠心式送風ファン２２の翼端面以下としている。
【００１５】
このように構成された携帯型送風作業機１において、空冷小型エンジン３をリコイルスタータ１０により始動させると、クランクシャフト８が回転してフライホイールマグネト１１及び遠心式送風ファン２２が回転駆動される。これにより起風フィン２３が図２の半時計方向に回転して外気を側面カバー２１の吸い込み口２０から吸引する。起風フィン２３により増速された冷却風は旋回流路２６から導風孔２７に入り、シリンダヘッド４方向へ流入し冷却フィン５及びマフラを冷却して吹き抜ける。
【００１６】
また一方では、フライホイールマグネト１１の冷却フィン１３の回転により、クランクケース７底部の冷却風導入孔１４からも冷却風が取り込まれ、前記導風孔２７からの冷却風とともにシリンダヘッド４を冷却する。
【００１７】
側面カバー２１の吸い込み口２０から外気とともに吸い込まれた落ち葉くずや細かな草等のダストは、導風孔２７の旋回流路２６風上側直近に位置して設けられた凸部２８により生じる渦流に沿って旋回流路２６の外周方向へ流れ、導風孔２７からシリンダヘッド４方向へ侵入することなく送風ファンカバー１７の吹き出し口１９から排出される。ここにおいて、細かな軽いダストは冷却風に混じって導風孔２７から侵入し、シリンダヘッド４方向に流れる可能性が大きいが、これらの小さなダストはシリンダヘッド４の冷却フィン５の間に詰まって冷却能力を低下させる恐れは低い。
【００１８】
なお、図４に示すように携帯型送風作業機１として送風ファンカバー１７の吹き出し口１９に送風パイプ２９を装着することにより、先端から風を強力に噴出して落ち葉等の吹き飛ばし作業を行う。また、図５に示すように送風ファンカバー１７の側面カバー２１を開いて吸入パイプ３０を装着するとともに空冷小型エンジン３背面側に補助ハンドル３１を取り付けることによって、吸入パイプ３０先端から落ち葉等を吸い込み、吹き出し口１９に取り付けたバッグ内へ捕集する作業を行うことができる。
【００１９】
以上説明したように本発明によれば、空冷小型エンジン３により回転駆動される遠心式送風ファン２２の送風もしくは吸引風を利用して各種の作業を行う携帯型送風作業機１において、遠心式送風ファン２２を覆う送風ファンカバー１７の内部と空冷小型エンジン３側とを導風孔２７にて連通せしめて、遠心式送風ファン２２のより起風される強力な風をエンジン冷却風として利用しつつ、シリンダヘッド４に対する冷却能力の低下やマフラ部での発火を引き起こすようなダストの進入を、比較的簡易な機構にて確実に達成することができる。
【図面の簡単な説明】
【００２０】
【図１】本発明の実施の形態の携帯型送風作業機を示す縦断面図である。
【図２】同じく外側ファンカバーを取り外し送風羽根の一部を切り欠いて示す携帯型送風作業機の側面図である。
【図３】同じく外側ファンカバー及び送風フィンを取り外した状態を示す携帯型送風作業機の側面図である。
【図４】送風作業状態を示す携帯型送風作業機の側面図である。
【図５】吸引作業状態を示す携帯型送風作業機の側面図である。
【符号の説明】
【００２１】
３    空冷小型エンジン
１７  送風ファンカバー
２２  遠心式送風ファン
２６  旋回流路
２７  導風孔
２８  凸部
【図１】
2007218186.tif 000003
【図２】
2007218186.tif 000004
【図３】
2007218186.tif 000005
【図４】
2007218186.tif 000006
【図５】
2007218186.tif 000007